(57)【要約】  本発明の内視鏡装置は、観察倍率を変倍可能な対物光学系を備えた内視鏡と、可視光領域を含む広帯域光と、可視光領域の光を離散化して得られる複数の帯域の狭帯域光と、を選択的に出射可能な光源装置と、対物光学系の観察倍率を次第に増加または減少させるための変倍指示を行う観察倍率変更指示部と、変倍指示に基づき、観察倍率が次第に変化して所定の観察倍率に達したことを検知した際に、光源装置から出射される光を一方の光から他方の光へ切り替えるモード切替部と、を有する。
2010116902.tif 000002
【特許請求の範囲】
【請求項１】
観察倍率を変倍可能な対物光学系を備えた内視鏡と、
可視光領域を含む広帯域光と、可視光領域の光を離散化して得られる複数の帯域の狭帯域光と、を選択的に出射可能な光源装置と、
前記対物光学系の観察倍率を次第に増加または減少させるための変倍指示を行う観察倍率変更指示部と、
前記変倍指示に基づき、観察倍率が次第に変化して所定の観察倍率に達したことを検知した際に、前記光源装置から出射される光を一方の光から他方の光へ切り替えるモード切替部と、
を有することを特徴とする内視鏡装置。
【請求項２】
前記モード切替部は、前記変倍指示に基づき、観察倍率が次第に増加して前記所定の観察倍率に達したことを検知した際に、前記光源装置から出射される光を前記広帯域光から前記複数の帯域の狭帯域光へ切り替えることを特徴とする請求項１に記載の内視鏡装置。
【請求項３】
前記モード切替部は、前記変倍指示に基づき、観察倍率が次第に減少して前記所定の観察倍率に達したことを検知した際に、前記光源装置から出射される光を前記複数の帯域の狭帯域光から前記広帯域光へ切り替えることを特徴とする請求項２に記載の内視鏡装置。
【請求項４】
前記所定の観察倍率は、前記複数の帯域の狭帯域光により生体粘膜表層の微細構造及び毛細血管パターンの少なくとも一方を観察可能となる直前の観察倍率であることを特徴とする請求項１または請求項２に記載の内視鏡装置。
【請求項５】
前記所定の観察倍率は、ユーザ毎の所望の観察倍率に設定可能であることを特徴とする請求項４に記載の内視鏡装置。
【請求項６】
前記所定の観察倍率は、内視鏡毎に個別に設定されることを特徴とする請求項４に記載の内視鏡装置。
【発明の詳細な説明】
【技術分野】
【０００１】
本発明は、内視鏡装置に関し、特に、観察倍率を変倍可能な内視鏡装置に関するものである。
【背景技術】
【０００２】
内視鏡及び光源装置等を有して構成される内視鏡装置は、従来より、医療分野等において広く用いられている。特に、医療分野における内視鏡装置は、術者等が生体内の観察等を行うという用途において主に用いられている。【０００３】
また、医療分野の内視鏡装置を用いた観察として一般的に知られているものとしては、例えば、Ｒ（赤）、Ｇ（緑）及びＢ（青）の各色を含む光を生体内の被写体に照射することにより、肉眼による観察と略同様の色合いの画像を得ることが可能な通常光観察、及び、通常光観察の照明光に比べて狭い帯域の光を該被写体に照射することにより、生体の粘膜表層に存在する血管等が強調された画像を得ることが可能な狭帯域光観察が挙げられる。そして、前述した２種類の観察に対応したそれぞれのモードに切り替え可能な構成を具備する内視鏡装置が日本国特開２００７−０２０７２８号公報に開示されている。【０００４】
一方、医療分野の内視鏡装置においては、生体内に存在する被写体の局所的な領域を、数十倍〜数百倍の観察倍率により観察することが可能なものもある。【０００５】
一般的に、ユーザは、生体内に存在する被写体の局所的な領域の内視鏡観察を行う際に、該内視鏡の先端部を所望の領域へ近づけながら観察倍率を低倍率側から高倍率側へ変化させる、という動作を行う。そして、通常光観察において得られる画像を見ながら前述の動作を行った場合、内視鏡に設けられた光学系の被写界深度の浅さと、焦点調整の手がかりとなる所見（粘膜表面の微細構造及び毛細血管パターンの少なくとも一方）のコントラストの低さとが相まって、観察対象に焦点を合わせ辛い、という問題が生じる。【０００６】
これに対し、狭帯域光観察においては、前述した動作を行う際の焦点調整の手がかりとなる所見（粘膜表面の微細構造及び毛細血管パターンの少なくとも一方）のコントラストが改善された画像を得ることができる。但し、内視鏡を用いて狭帯域光観察を行う場合においてこのような画像を得るためには、観察対象と内視鏡の先端部との間の距離をある程度まで近づける必要がある。【０００７】
一方、日本国特開２００７−０２０７２８号公報によれば、所定の観察倍率を境に通常光観察モードと狭帯域光観察モードとを切り替える技術が開示されている反面、前述の動作、すなわち、生体内に存在する被写体の局所的な領域の内視鏡観察の際にユーザが実際に行う動作を想定したものとして両観察モードを切り替えることまでは言及されていない。【０００８】
そのため、日本国特開２００７−０２０７２８号公報に記載の技術によれば、生体内に存在する被写体の局所的な領域の内視鏡観察を行う際に、適切な狭帯域光観察画像が得られない状況が発生し易くなり、結果的に、焦点調整に要する時間が長くなってしまう、という課題が生じている。【０００９】
本発明は、前述した事情に鑑みてなされたものであり、生体内に存在する被写体の局所的な領域の内視鏡観察を行う際の焦点調整に要する時間を従来に比べて短縮することが可能な内視鏡装置を提供することを目的としている。
【発明の開示】
【課題を解決するための手段】
【００１０】
本発明における内視鏡装置は、観察倍率を変倍可能な対物光学系を備えた内視鏡と、可視光領域を含む広帯域光と、可視光領域の光を離散化して得られる複数の帯域の狭帯域光と、を選択的に出射可能な光源装置と、前記対物光学系の観察倍率を次第に増加または減少させるための変倍指示を行う観察倍率変更指示部と、前記変倍指示に基づき、観察倍率が次第に変化して所定の観察倍率に達したことを検知した際に、前記光源装置から出射される光を一方の光から他方の光へ切り替える観察モード切替部と、を有することを特徴とする。
【図面の簡単な説明】
【００１１】
【図１】本発明の実施例に係る内視鏡装置の要部の構成を示す図。
【図２】図１の内視鏡が有する対物光学系の構成の一例を示す図。
【図３】図１の光源装置が有する回転フィルタの構成の一例を示す図。
【図４】図３の第１のフィルタ群が有する各フィルタの透過特性の一例を示す図。
【図５】図３の第２のフィルタ群が有する各フィルタの透過特性の一例を示す図。
【発明を実施するための最良の形態】
【００１２】
以下、本発明の実施の形態について、図面を参照しつつ説明を行う。図１から図５は、本発明の実施例に係るものである。【００１３】
内視鏡装置１は、図１に示すように、観察倍率を変倍可能であるとともに、撮像した被写体１０１の像を撮像信号として出力する内視鏡２と、被検者の体腔内の被写体１０１を照明するための照明光を発する光源装置３と、内視鏡２からの撮像信号に対して画像処理を施すことにより、映像信号を生成して出力するプロセッサ４と、プロセッサ４からの映像信号に応じた画像を表示する表示装置５と、を有して構成されている。【００１４】
内視鏡２の内部には、光源装置３において発せられた照明光を内視鏡２の先端部２１ａへ伝送するためのライトガイド６が挿通されている。【００１５】
ライトガイド６の一方の端面（入射端面）は、光源装置３に接続されている。また、ライトガイド６の他方の端面（出射端面）は、内視鏡２の先端部２１ａに設けられた図示しない照明光学系の近傍に配置されている。このような構成により、光源装置３において発せられた照明光は、ライトガイド６及び図示しない照明光学系を経た後、被写体１０１に対して出射される。【００１６】
内視鏡２の先端部２１ａには、被写体の像を結像する対物光学系２２と、対物光学系２２を経た被写体の像を撮像するＣＣＤ２４と、が設けられている。また、内視鏡２の基端側（後端側）の操作部２１ｂには、変倍指示を行うためのズームスイッチ２５が設けられている。【００１７】
変倍機能を具備する対物光学系２２は、図２に示すように、先端部２１ａの最も先端側に設けられた第１レンズ群２２ａと、自身の光軸方向に沿って変移可能であり、第１レンズ群２２ａを通過した光が前面から入射される可動光学系２２ｂと、該光軸方向に沿った方向（図２の矢印Ｄに沿った方向）に可動光学系２２ｂを移動させることが可能な焦点位置調整部２２ｃと、可動光学系２２ｂを通過した光が前面から入射される第２レンズ群２２ｄと、を有している。【００１８】
第１レンズ群２２ａは、被写体１０１からの光が入射される先端レンズ２２ｅを少なくとも含む、位置が夫々固定された複数のレンズを具備して構成されている。【００１９】
焦点位置調整部２２ｃは、例えばリニアアクチュエータを用いて構成されている。具体的には、焦点位置調整部２２ｃは、可動光学系２２ｂの側部に接続されるアーム２２ｆと、プロセッサ４の制御に応じてアーム２２ｆを図２の矢印Ｄに沿った方向に移動させるアーム駆動部２２ｇと、を具備して構成されている。そして、このような構成によれば、焦点位置調整部２２ｃの動作に伴って可動光学系２２ｂが移動することにより、対物光学系２２の焦点位置及び観察倍率が夫々変更される。【００２０】
第２レンズ群２２ｄは、位置が夫々固定された複数のレンズを具備して構成されており、第１レンズ群２２ａ及び可動光学系２２ｂを介して入射される光をＣＣＤ２４の撮像面に結像させる。【００２１】
観察倍率変更指示部としての機能を備えたズームスイッチ２５は、ユーザによる（押下等の）操作が行われている期間中において変倍指示をプロセッサ４へ継続的に出力するようなボタンまたはレバー等を備えて構成されている。そして、このようなズームスイッチ２５の構成によれば、ユーザによりズームスイッチ２５が操作されている間、対物光学系２２の観察倍率が次第に増加または減少する。【００２２】
光源装置３は、キセノンランプ等からなる白色光源３１と、白色光源３１から発せられた白色光を面順次な照明光とする回転フィルタ３２と、回転フィルタ３２を回転駆動させるモータ３３と、回転フィルタ３２及びモータ３３を白色光源３１の出射光路に垂直な方向に移動させるモータ３４と、プロセッサ４の制御に基づいてモータ３３及び３４を駆動させる回転フィルタ駆動部３５と、回転フィルタ３２を通過した照明光を集光してライトガイド６の入射端面に供給する集光光学系３６と、を有している。【００２３】
回転フィルタ３２は、図３に示すように、中心を回転軸とした円板状に構成されており、内周側の周方向に沿って設けられた複数のフィルタを具備する第１のフィルタ群３２Ａと、外周側の周方向に沿って設けられた複数のフィルタを具備する第２のフィルタ群３２Ｂと、を有している。そして、モータ３３の駆動力が前記回転軸に伝達されることにより、回転フィルタ３２が回転する。なお、回転フィルタ３２において、第１のフィルタ群３２Ａ及び第２のフィルタ群３２Ｂの各フィルタが配置されている部分以外は、遮光部材により構成されているものとする。【００２４】
第１のフィルタ群３２Ａは、各々が回転フィルタ３２の内周側の周方向に沿って設けられた、赤色の波長帯域の光を透過させるＲフィルタ３２ｒと、緑色の波長帯域の光を透過させるＧフィルタ３２ｇと、青色の波長帯域の光を透過させるＢフィルタ３２ｂとを有して構成されている。【００２５】
Ｒフィルタ３２ｒは、例えば図４に示すように、主に６００ｎｍから７００ｎｍまでの光（Ｒ光）を透過させるような構成を有している。また、Ｇフィルタ３２ｇは、例えば図４に示すように、主に５００ｎｍから６００ｎｍまでの光（Ｇ光）を透過させるような構成を有している。さらに、Ｂフィルタ３２ｂは、例えば図４に示すように、主に４００ｎｍから５００ｎｍまでの光（Ｂ光）を透過させるような構成を有している。【００２６】
すなわち、白色光源３１において発せられた白色光は、第１のフィルタ群３２Ａを経ることにより、通常光観察モード用の広帯域光となる。【００２７】
第２のフィルタ群３２Ｂは、各々が回転フィルタ３２の外周側の周方向に沿って設けられた、青色かつ狭帯域な光を透過させるＢｎフィルタ３２１ｂと、緑色かつ狭帯域な光を透過させるＧｎフィルタ３２１ｇと、を有して構成されている。【００２８】
Ｂｎフィルタ３２１ｂは、例えば図５に示すように、Ｂ光の短波長側の狭帯域光（Ｂｎ光）を透過させるような構成を有している。【００２９】
また、Ｇｎフィルタ３２１ｇは、例えば図５に示すように、中心波長が５４０ｎｍ付近の狭帯域光（Ｇｎ光）を透過させるような構成を有している。【００３０】
すなわち、白色光源３１において発せられた白色光は、第２のフィルタ群３２Ｂを経て離散化されることにより、狭帯域光観察モード用の複数の帯域の狭帯域光となる。【００３１】
プロセッサ４は、画像処理部４１と、光学系制御部４２と、ズームスイッチ２５におけ
る変倍指示に応じた制御を行う主制御部４３と、を有して構成されている。【００３２】
画像処理部４１は、主制御部４３の制御に基づき、ノイズ除去処理、Ａ／Ｄ変換処理、画像生成処理、及び、Ｄ／Ａ変換処理等の処理を入力される撮像信号に対して順番に施すことにより、映像信号を生成して表示装置５へ出力する。【００３３】
光学系制御部４２は、主制御部４３の制御に基づき、観察倍率に応じた位置に可動光学系２２ｂが配置されるように焦点位置調整部２２ｃを動作させる。【００３４】
モード切替部としての機能を備えた主制御部４３は、ズームスイッチ２５における変倍指示を随時モニタリングし、モニタリング結果に応じて回転フィルタ駆動部３５、画像処理部４１及び光学系制御部４２の動作を切り替える制御（通常光観察モードと狭帯域光観察モードとを切り替える制御）を行う。【００３５】
ここで、内視鏡装置１の作用について説明を行う。なお、内視鏡装置１の各部は、電源投入時の初期状態において、等倍の観察倍率の通常光観察モードとして起動するものとして以降の説明を行う。【００３６】
主制御部４３は、プロセッサ４の電源投入に伴い、等倍の観察倍率の通常光観察モードとして動作させるための制御を回転フィルタ駆動部３５、画像処理部４１及び光学系制御部４２に対して行う。【００３７】
その後、回転フィルタ駆動部３５は、主制御部４３の制御に基づき、白色光源３１の光路状に第１のフィルタ群３２Ａが介挿されるようにモータ３３及び３４を駆動させる。また、画像処理部４１は、主制御部４３の制御に基づき、入力される撮像信号に基づいて通常光観察画像（フルカラー画像）を生成するための動作を行う。さらに、光学系制御部４２は、主制御部４３の制御に基づき、等倍の観察倍率に応じた位置に可動光学系２２ｂが配置されるようにアーム駆動部２２ｇを動作させる。【００３８】
ユーザは、内視鏡装置１の各部の電源を投入した後、表示装置５に表示される画像を見ながら、被検者の体腔内の被写体１０１の近辺へ先端部２１ａを移動させる。【００３９】
さらに、ユーザは、被写体１０１を局所的に観察するため、観察倍率を低倍率側から高倍率側へ次第に変化させる変倍指示をズームスイッチ２５において行いながら（例えばズームスイッチ２５の観察倍率増加側のボタンを押下したままの状態を維持しながら）、先端部２１ａを被写体１０１の表面へ近づける動作を行う。【００４０】
一方、主制御部４３は、ズームスイッチ２５において低倍率側から高倍率側への変倍指示がなされている間、観察倍率が等倍から次第に増加されていることを検知するとともに、光学系制御部４２に対する制御を継続する。このような制御に応じ、光学系制御部４２は、可動光学系２２ｂが低倍率側から高倍率側へ移動するようにアーム駆動部２２ｇを動作させる。【００４１】
ここで、被写体１０１の局所的な観察の際にこのような動作をユーザが行う場合においては、観察倍率と、先端部２１ａから被写体１０１の表面までの距離との間には、所定の相関関係が成立すると推定される。具体的には、観察倍率が低倍率である場合には、先端部２１ａから被写体１０１の表面までの距離が比較的離れていると推定される。また、観察倍率が低倍率から高倍率へ次第に変化している場合には、先端部２１ａから被写体１０１の表面までの距離が次第に近づいていると推定される。さらに、観察倍率が高倍率から低倍率へ次第に変化している場合には、先端部２１ａから被写体１０１の表面までの距離が次第に遠くなっていると推定される。そして、このような相関関係が成立するとした場合、被写体１０１の粘膜表層の微細構造及び毛細血管パターンの少なくとも一方を狭帯域光観察により観察可能となる直前の観察倍率に相当する所定の観察倍率と、該所定の観察倍率になった際の先端部２１ａから被写体１０１の表面までの距離との間にも同様の相関関係が成立すると考えられる。【００４２】
主制御部４３は、ズームスイッチ２５における変倍指示に応じた観察倍率の増加を随時モニタリングすることにより、前述の所定の観察倍率以上になったことを検知すると、先端部２１ａから被写体１０１の表面までの距離が狭帯域光観察に適した距離になったとみなし、狭帯域光観察モードとして動作させるための制御を回転フィルタ駆動部３５及び画像処理部４１に対して行う。【００４３】
その後、回転フィルタ駆動部３５は、主制御部４３の制御に基づき、白色光源３１の光路状に第２のフィルタ群３２Ｂが介挿されるようにモータ３３及び３４を駆動させる。また、画像処理部４１は、主制御部４３の制御に基づき、入力される撮像信号に基づいて狭帯域光観察画像（擬似カラー画像）を生成するための動作を行う。【００４４】
そして、以上に述べた内視鏡装置１の作用によれば、ユーザは、表示装置５に表示される被写体１０１の狭帯域光観察画像を見ながら、迅速に焦点調整を行うことができる。【００４５】
なお、主制御部４３は、観察倍率の増加により前述の所定の観察倍率以上になったか否かを、ズームスイッチ２５における変倍指示のモニタリング結果に基づいて検知するものに限らず、例えば、光学系制御部４２の制御量のモニタリング結果に応じて算出される可動光学系２２ｂの配置位置に基づいて検知するものであってもよい。【００４６】
また、前述の所定の観察倍率は、被写体１０１の粘膜表層の微細構造及び毛細血管パターンの少なくとも一方を狭帯域光観察により観察可能となる直前の観察倍率である限りにおいては、表示装置に表示される入力画面等においてユーザ毎の所望の観察倍率に適宜設定しても良く、内視鏡毎に個別に観察倍率が設定されるものであっても良く、または、予め定められた固定の観察倍率であっても良い。【００４７】
一方、ユーザは、被写体１０１の局所的な観察を完了すると、観察倍率を高倍率側から低倍率側へ次第に変化させる変倍指示をズームスイッチ２５において行いながら（例えばズームスイッチ２５の観察倍率減少側のボタンを押下したままの状態を維持しながら）、先端部２１ａを被写体１０１の表面から遠ざける動作を行う。【００４８】
主制御部４３は、ズームスイッチ２５において高倍率側から低倍率側への変倍指示がなされている間、観察倍率が前述の所定の観察倍率以上の倍率から次第に減少されていることを検知するとともに、光学系制御部４２に対する制御を継続する。このような制御に応じ、光学系制御部４２は、可動光学系２２ｂが高倍率側から低倍率側へ移動するようにアーム駆動部２２ｇを動作させる。【００４９】
主制御部４３は、ズームスイッチ２５における変倍指示に応じた観察倍率の減少を随時モニタリングすることにより、前述の所定の観察倍率未満になったことを検知すると、先端部２１ａから被写体１０１の表面までの距離が狭帯域光観察に適さない距離になったとみなし、通常光観察モードとして動作させるための制御を回転フィルタ駆動部３５及び画像処理部４１に対して行う。【００５０】
その後、回転フィルタ駆動部３５は、主制御部４３の制御に基づき、白色光源３１の光路状に第１のフィルタ群３２Ａが介挿されるようにモータ３３及び３４を駆動させる。また、画像処理部４１は、主制御部４３の制御に基づき、入力される撮像信号に基づいて通常光観察画像（フルカラー画像）を生成するための動作を行う。【００５１】
なお、主制御部４３は、観察倍率の減少により前述の所定の観察倍率未満になったか否かを、ズームスイッチ２５における変倍指示のモニタリング結果に基づいて検知するものに限らず、例えば、光学系制御部４２の制御量のモニタリング結果に応じて算出される可動光学系２２ｂの配置位置に基づいて検知するものであってもよい。【００５２】
以上に述べたように、本実施例の内視鏡装置１によれば、変倍指示に応じた観察倍率の増加のモニタリング結果に基づき、被写体１０１の粘膜表層の微細構造及び毛細血管パターンの少なくとも一方を狭帯域光観察により観察可能となる直前の観察倍率以上になったことが検知された際に、通常光観察モードから狭帯域光観察モードへの切り替えを行うような構成及び作用を有している。すなわち、本実施例の内視鏡装置１によれば、生体内に存在する被写体の局所的な領域の内視鏡観察の際にユーザが実際に行う動作において、焦点調整が必要になるタイミングの直前に通常光観察モードから狭帯域光観察モードへの切り替えを行うような構成及び作用を有している。その結果、本実施例の内視鏡装置１によれば、生体内に存在する被写体の局所的な領域の内視鏡観察を行う際の焦点調整に要する時間を従来に比べて短縮することができる。【００５３】
なお、本発明は、上述した実施例に限定されるものではなく、発明の趣旨を逸脱しない範囲内において種々の変更や応用が可能であることは勿論である。【００５４】
本出願は、２００９年４月９日に日本国に出願された特願２００９−９５０４０号を優先権主張の基礎として出願するものであり、上記の開示内容は、本願明細書、請求の範囲、図面に引用されたものとする。
【図１】
2010116902.tif 000003
【図２】
2010116902.tif 000004
【図３】
2010116902.tif 000005
【図４】
2010116902.tif 000006
【図５】
2010116902.tif 000007
【手続補正書】
【提出日】平成22年9月27日(2010.9.27)
【手続補正１】
【補正対象書類名】明細書
【補正対象項目名】００１０
【補正方法】変更
【補正の内容】
【００１０】
本発明における内視鏡装置は、観察倍率を変倍可能な対物光学系を備えた内視鏡と、可視光領域を含む広帯域光と、可視光領域の光を離散化して得られる複数の帯域の狭帯域光と、を選択的に出射可能な光源装置と、前記対物光学系の観察倍率を次第に増加または減少させるための変倍指示を行う観察倍率変更指示部と、前記変倍指示に基づき、観察倍率が次第に増加して所定の観察倍率に達したことを検知した際に、前記光源装置から出射される光を前記広帯域光から前記複数の帯域の狭帯域光へ切り替えるモード切替部と、を有する。
【手続補正２】
【補正対象書類名】特許請求の範囲
【補正対象項目名】全文
【補正方法】変更
【補正の内容】
【特許請求の範囲】
【請求項１】
観察倍率を変倍可能な対物光学系を備えた内視鏡と、
可視光領域を含む広帯域光と、可視光領域の光を離散化して得られる複数の帯域の狭帯域光と、を選択的に出射可能な光源装置と、
前記対物光学系の観察倍率を次第に増加または減少させるための変倍指示を行う観察倍率変更指示部と、
前記変倍指示に基づき、観察倍率が次第に増加して所定の観察倍率に達したことを検知した際に、前記光源装置から出射される光を前記広帯域光から前記複数の帯域の狭帯域光へ切り替えるモード切替部と、
を有することを特徴とする内視鏡装置。
【請求項２】
前記モード切替部は、前記変倍指示に基づき、観察倍率が次第に減少して前記所定の観察倍率に達したことを検知した際に、前記光源装置から出射される光を前記複数の帯域の狭帯域光から前記広帯域光へ切り替えることを特徴とする請求項１に記載の内視鏡装置。
【請求項３】
前記所定の観察倍率は、前記複数の帯域の狭帯域光により生体粘膜表層の微細構造及び毛細血管パターンの少なくとも一方を観察可能となる直前の観察倍率であることを特徴とする請求項１に記載の内視鏡装置。
【請求項４】
前記所定の観察倍率は、ユーザ毎の所望の観察倍率に設定可能であることを特徴とする請求項１に記載の内視鏡装置。
【請求項５】
前記所定の観察倍率は、内視鏡毎に個別に設定されることを特徴とする請求項１に記載の内視鏡装置。
【手続補正書】
【提出日】平成23年1月21日(2011.1.21)
【手続補正１】
【補正対象書類名】明細書
【補正対象項目名】００１０
【補正方法】変更
【補正の内容】
【００１０】
本発明における内視鏡装置は、観察倍率を変倍可能な可動光学系を有する対物光学系を備えた内視鏡と、可視光領域を含む広帯域光と、可視光領域の光を離散化して得られる複数の帯域の狭帯域光と、を選択的に出射可能な光源装置と、前記対物光学系の観察倍率を次第に増加または減少させるための変倍指示を行う観察倍率変更指示部と、前記変倍指示に基づき、観察倍率の増加に伴って前記可動光学系が低倍率側から高倍率側へ移動することにより、前記可動光学系が所定の配置位置に達したことを検知した際に、前記光源装置から出射される光を前記広帯域光から前記複数の帯域の狭帯域光へ切り替えるモード切替部と、を有する。
【手続補正２】
【補正対象書類名】特許請求の範囲
【補正対象項目名】全文
【補正方法】変更
【補正の内容】
【特許請求の範囲】
【請求項１】
観察倍率を変倍可能な可動光学系を有する対物光学系を備えた内視鏡と、
可視光領域を含む広帯域光と、可視光領域の光を離散化して得られる複数の帯域の狭帯域光と、を選択的に出射可能な光源装置と、
前記対物光学系の観察倍率を次第に増加または減少させるための変倍指示を行う観察倍率変更指示部と、
前記変倍指示に基づき、観察倍率の増加に伴って前記可動光学系が低倍率側から高倍率側へ移動することにより、前記可動光学系が所定の配置位置に達したことを検知した際に、前記光源装置から出射される光を前記広帯域光から前記複数の帯域の狭帯域光へ切り替えるモード切替部と、
を有することを特徴とする内視鏡装置。
【請求項２】
前記モード切替部は、前記変倍指示に基づき、観察倍率の減少に伴って前記可動光学系が高倍率側から低倍率側へ移動することにより、前記可動光学系が前記所定の配置位置に達したことを検知した際に、前記光源装置から出射される光を前記複数の帯域の狭帯域光から前記広帯域光へ切り替えることを特徴とする請求項１に記載の内視鏡装置。
【請求項３】
前記所定の配置位置は、前記複数の帯域の狭帯域光により生体粘膜表層の微細構造及び毛細血管パターンの少なくとも一方を観察可能となる直前の観察倍率にするために、前記観察倍率変更指示部における前記変倍指示に基づいて設定される配置位置であることを特徴とする請求項１に記載の内視鏡装置。
【請求項４】
前記所定の配置位置は、ユーザ毎の所望の観察倍率にするために、前記観察倍率変更指示部における前記変倍指示に基づいて設定される配置位置であることを特徴とする請求項１に記載の内視鏡装置。
【請求項５】
前記所定の配置位置は、前記可動光学系を有する内視鏡毎に個別に設定されることを特徴とする請求項１に記載の内視鏡装置。
【手続補正書】
【提出日】平成23年5月30日(2011.5.30)
【手続補正１】
【補正対象書類名】明細書
【補正対象項目名】００１０
【補正方法】変更
【補正の内容】
【００１０】
本発明における内視鏡装置は、観察倍率を変倍可能な可動光学系を有する対物光学系を備えた内視鏡と、可視光領域を含む広帯域光と、可視光領域の光を離散化して得られる複数の帯域の狭帯域光と、を選択的に出射可能な光源装置と、前記対物光学系の観察倍率を次第に増加または減少させるための変倍指示を行う観察倍率変更指示部と、前記変倍指示に基づき、前記可動光学系の配置位置を変化させるための動作を行う光学系制御部に対し、観察倍率の増加に伴って前記可動光学系を低倍率側から高倍率側へ移動させるための制御を行うとともに、前記光学系制御部に対する制御に応じて変動する観察倍率が前記内視鏡を用いて被写体の局所的な観察を行うものと推定される観察倍率に達したことを検知した際に、前記光源装置から出射される光を前記広帯域光から前記複数の帯域の狭帯域光へ切り替えるモード切替部と、を有する。
【手続補正２】
【補正対象書類名】特許請求の範囲
【補正対象項目名】全文
【補正方法】変更
【補正の内容】
【特許請求の範囲】
【請求項１】
観察倍率を変倍可能な可動光学系を有する対物光学系を備えた内視鏡と、
可視光領域を含む広帯域光と、可視光領域の光を離散化して得られる複数の帯域の狭帯域光と、を選択的に出射可能な光源装置と、
前記対物光学系の観察倍率を次第に増加または減少させるための変倍指示を行う観察倍率変更指示部と、
前記変倍指示に基づき、前記可動光学系の配置位置を変化させるための動作を行う光学系制御部に対し、観察倍率の増加に伴って前記可動光学系を低倍率側から高倍率側へ移動させるための制御を行うとともに、前記光学系制御部に対する制御に応じて変動する観察倍率が前記内視鏡を用いて被写体の局所的な観察を行うものと推定される観察倍率に達したことを検知した際に、前記光源装置から出射される光を前記広帯域光から前記複数の帯域の狭帯域光へ切り替えるモード切替部と、
を有することを特徴とする内視鏡装置。
【請求項２】
前記モード切替部は、前記変倍指示に基づき、観察倍率の減少に伴って前記可動光学系を高倍率側から低倍率側へ移動させるための制御を前記光学系制御部に対して行うとともに、前記光学系制御部に対する制御に応じて変動する観察倍率が前記内視鏡を用いて被写体の局所的な観察を行うものと推定される観察倍率に達したことを検知した際に、前記光源装置から出射される光を前記複数の帯域の狭帯域光から前記広帯域光へ切り替えることを特徴とする請求項１に記載の内視鏡装置。
【請求項３】
前記内視鏡を用いて被写体の局所的な観察を行うものと推定される観察倍率は、前記複数の帯域の狭帯域光により生体粘膜表層の微細構造及び毛細血管パターンの少なくとも一方を観察可能となる直前の観察倍率であることを特徴とする請求項１に記載の内視鏡装置。
【請求項４】
前記内視鏡を用いて被写体の局所的な観察を行うものと推定される観察倍率は、ユーザ毎の所望の観察倍率に設定可能であることを特徴とする請求項１に記載の内視鏡装置。
【請求項５】
前記内視鏡を用いて被写体の局所的な観察を行うものと推定される観察倍率は、前記可動光学系を有する内視鏡毎に個別に設定されることを特徴とする請求項１に記載の内視鏡装置。
【手続補正書】
【提出日】平成23年9月28日(2011.9.28)
【手続補正１】
【補正対象書類名】明細書
【補正対象項目名】０００９
【補正方法】変更
【補正の内容】
【０００９】
本発明は、上述した事情に鑑みてなされたもので、観察倍率が予め定めた観察倍率以上になったことを検知することによって、又は前記可動光学系の光軸方向への移動量或いは配置位置が予め定めた移動量或いは配置位置になったことを検知することによって、焦点調整が必要となるタイミングの直前を検知したとき、内視鏡を用いた被写体の表面までの距離が狭帯域光観察に適した距離になったものと推定して、光源装置から出射される光を前記広帯域光から前記複数の帯域の狭帯域光へ自動的に切り替え、生体内に存在する被写体の局所的な領域の内視鏡観察を行う際の焦点調整に要する時間を従来に比べて短縮することを可能にした内視鏡装置を提供することを目的としている。
【手続補正２】
【補正対象書類名】明細書
【補正対象項目名】００１０
【補正方法】変更
【補正の内容】
【００１０】
本発明の一態様による内視鏡装置は、被写体との距離調整によって観察倍率を変倍可能な可動光学系を有する対物光学系を備えた内視鏡と、可視光領域を含む広帯域光と、可視光領域の光を離散化して得られる複数の帯域の狭帯域光と、を選択的に出射可能な光源装置と、前記対物光学系の被写体との距離調整によって観察倍率を次第に増加または減少させる際に変倍指示として前記可動光学系の配置位置を変化させるよう指示することが可能な観察倍率変更指示部と、前記観察倍率変更指示部の変倍指示に基づき、前記可動光学系の配置位置を変化させるための動作を行う光学系制御部に対し、観察倍率の増加に伴って前記可動光学系を低倍率側から高倍率側へ移動させるための制御を行うとともに、前記光学系制御部に対する制御に応じて変動する観察倍率が予め定めた観察倍率以上になったことを検知することによって、又は前記可動光学系の光軸方向への移動量或いは配置位置が予め定めた移動量或いは配置位置になったことを検知することによって、焦点調整が必要となるタイミングの直前を検知したとき、前記内視鏡を用いた被写体の表面までの距離が狭帯域光観察に適した距離になったものと推定して、前記光源装置から出射される光を前記広帯域光から前記複数の帯域の狭帯域光へ自動的に切り替えるモード切替部と、を有する。
【手続補正３】
【補正対象書類名】特許請求の範囲
【補正対象項目名】全文
【補正方法】変更
【補正の内容】
【特許請求の範囲】
【請求項１】
被写体との距離調整によって観察倍率を変倍可能な可動光学系を有する対物光学系を備えた内視鏡と、
可視光領域を含む広帯域光と、可視光領域の光を離散化して得られる複数の帯域の狭帯域光と、を選択的に出射可能な光源装置と、
前記対物光学系の被写体との距離調整によって観察倍率を次第に増加または減少させる際に変倍指示として前記可動光学系の配置位置を変化させるよう指示することが可能な観察倍率変更指示部と、
前記観察倍率変更指示部の変倍指示に基づき、前記可動光学系の配置位置を変化させるための動作を行う光学系制御部に対し、観察倍率の増加に伴って前記可動光学系を低倍率側から高倍率側へ移動させるための制御を行うとともに、前記光学系制御部に対する制御に応じて変動する観察倍率が予め定めた観察倍率以上になったことを検知することによって、又は前記可動光学系の光軸方向への移動量或いは配置位置が予め定めた移動量或いは配置位置になったことを検知することによって、焦点調整が必要となるタイミングの直前を検知したとき、前記内視鏡を用いた被写体の表面までの距離が狭帯域光観察に適した距離になったものと推定して、前記光源装置から出射される光を前記広帯域光から前記複数の帯域の狭帯域光へ自動的に切り替えるモード切替部と、
を有することを特徴とする内視鏡装置。
【請求項２】
前記モード切替部は、前記観察倍率変更指示部の変倍指示に基づき、観察倍率の減少に伴って前記可動光学系を高倍率側から低倍率側へ移動させる制御を前記光学系制御部に対して行うとともに、前記光学系制御部に対する制御に応じて変動する観察倍率が予め定めた観察倍率以下になったことを検知することによって、又は前記可動光学系の光軸方向への移動量或いは配置位置が予め定めた移動量或いは配置位置になったことを検知することによって、焦点調整が必要となるタイミングの直前を検知したとき、前記内視鏡を用いた被写体の表面までの距離が広帯域光観察に適した距離になったものと推定して、前記光源装置から出射される光を前記複数の帯域の狭帯域光から広帯域光へ自動的に切り替えることを特徴とする請求項１に記載の内視鏡装置。
【請求項３】
前記内視鏡を用いた被写体の表面までの距離が狭帯域光観察に適した距離になったものと推定される観察倍率は、前記複数の帯域の狭帯域光により生体粘膜表層の微細構造及び毛細血管パターンの少なくとも一方を観察可能となる直前の倍率であることを特徴とる請求項１に記載の内視鏡装置。
【請求項４】
前記内視鏡を用いた被写体の表面までの距離が狭帯域光観察に適した距離になったものと推定される観察倍率は、ユーザ毎の所望の観察倍率に設定可能であることを特徴とする請求項１に記載の内視鏡装置。
【請求項５】
前記内視鏡を用いた被写体の表面までの距離が狭帯域光観察に適した距離になったものと推定される観察倍率は、前記可動光学系を有する内視鏡毎に個別に設定されることを特徴とする請求項１に記載の内視鏡装置。
【手続補正書】
【提出日】平成24年2月6日(2012.2.6)
【手続補正１】
【補正対象書類名】明細書
【補正対象項目名】０００９
【補正方法】変更
【補正の内容】
【０００９】  本発明は、上述した事情に鑑みてなされたもので、生体内に存在する被写体の局所的な領域の内視鏡観察を行う際の焦点調整に要する時間を従来に比べて短縮することを可能にした内視鏡装置を提供することを目的としている。
【手続補正２】
【補正対象書類名】明細書
【補正対象項目名】００１０
【補正方法】変更
【補正の内容】
【００１０】  本発明の一態様による内視鏡装置は、焦点位置調整を行う可動光学系を有し、被写体との距離調整によって観察倍率を変倍可能な可動光学系を有する対物光学系を備えた内視鏡と、可視光領域を含む広帯域光と、前記可視光領域の光を離散化して得られる狭帯域光と、を選択的に出射可能な光源装置と、前記対物光学系の被写体との距離調整によって観察倍率を次第に増加または減少させる際に変倍指示として前記可動光学系の配置位置を変化させ、焦点位置を調整するよう指示するために術者によって操作する観察倍率変更指示部と、前記観察倍率変更指示部による前記焦点位置調整の位置および前記変倍指示に基づき、前記可動光学系の配置位置を変化させるための動作を行う光学系制御部に対し、観察倍率の増加に伴って前記可動光学系を低倍率側から高倍率側へ移動させるための制御を行うとともに、前記光学系制御部に対する制御に応じて変動する観察倍率が予め定めた観察倍率以上になったことを検知することによって、又は前記可動光学系の光軸方向への移動量或いは配置位置が予め定めた移動量或いは配置位置になったことで所定の焦点位置になったことを検知することによって、前記対物光学系から前記被写体の表面までの距離が所定の距離まで近づいており、前記内視鏡を用いた被写体の表面までの距離が狭帯域光観察が必要な距離になったものと推定して、前記光源装置から出射される光を前記広帯域光から前記複数の帯域の狭帯域光へ自動的に切り替えるモード切替部と、を有する。
【手続補正３】
【補正対象書類名】特許請求の範囲
【補正対象項目名】全文
【補正方法】変更
【補正の内容】
【特許請求の範囲】
【請求項１】
焦点位置調整を行う可動光学系を有し、被写体との距離調整によって観察倍率を変倍可能な可動光学系を有する対物光学系を備えた内視鏡と、  可視光領域を含む広帯域光と、前記可視光領域の光を離散化して得られる狭帯域光と、を選択的に出射可能な光源装置と、  前記対物光学系の被写体との距離調整によって観察倍率を次第に増加または減少させる際に変倍指示として前記可動光学系の配置位置を変化させ、焦点位置を調整するよう指示するために術者によって操作する観察倍率変更指示部と、  前記観察倍率変更指示部による前記焦点位置調整の位置および前記変倍指示に基づき、前記可動光学系の配置位置を変化させるための動作を行う光学系制御部に対し、観察倍率の増加に伴って前記可動光学系を低倍率側から高倍率側へ移動させるための制御を行うとともに、前記光学系制御部に対する制御に応じて変動する観察倍率が予め定めた観察倍率以上になったことを検知することによって、又は前記可動光学系の光軸方向への移動量或いは配置位置が予め定めた移動量或いは配置位置になったことで所定の焦点位置になったことを検知することによって、前記対物光学系から前記被写体の表面までの距離が所定の距離まで近づいており、前記内視鏡を用いた被写体の表面までの距離が狭帯域光観察が必要な距離になったものと推定して、前記光源装置から出射される光を前記広帯域光から前記複数の帯域の狭帯域光へ自動的に切り替えるモード切替部と、  を有することを特徴とする内視鏡装置。
【請求項２】
前記モード切替部は、前記観察倍率変更指示部による前記焦点位置調整の位置および変倍指示に基づき、観察倍率の減少に伴って前記可動光学系を高倍率側から低倍率側へ移動させる制御を前記光学系制御部に対して行うとともに、前記光学系制御部に対する制御に応じて変動する観察倍率が予め定めた観察倍率以下になったことを検知することによって、又は前記可動光学系の光軸方向への移動量或いは配置位置が予め定めた移動量或いは配置位置になったことで所定の焦点位置になったことを検知することによって、前記対物光学系から前記被写体の表面までの距離が所定の距離まで遠ざかり、前記内視鏡を用いた被写体の表面までの距離が広帯域光観察が必要な距離になったものと推定して、前記光源装置から出射される光を前記複数の帯域の狭帯域光から広帯域光へ自動的に切り替えることを特徴とする請求項１に記載の内視鏡装置。
【請求項３】
前記内視鏡を用いた被写体の表面までの距離が狭帯域光観察が必要な距離になったものと推定される観察倍率は、前記複数の帯域の狭帯域光により生体粘膜表層の微細構造及び毛細血管パターンの少なくとも一方を観察可能となる直前の倍率であることを特徴とる請求項１に記載の内視鏡装置。
【請求項４】
前記内視鏡を用いた被写体の表面までの距離が狭帯域光観察が必要な距離になったものと推定される観察倍率は、ユーザ毎の所望の観察倍率に設定可能であることを特徴とする請求項１に記載の内視鏡装置。
【請求項５】
前記内視鏡を用いた被写体の表面までの距離が狭帯域光観察が必要な距離になったものと推定される観察倍率は、前記可動光学系を有する内視鏡毎に個別に設定されることを特徴とする請求項１に記載の内視鏡装置。
【請求項６】
前記狭帯域光は、複数の帯域からなることを特徴とする請求項１に記載の内視鏡装置。
【国際調査報告】
2010116902.tif 000008
2010116902.tif 000009